(57)【要約】【課題】【解決手段】携帯型ＰＶモジュラー太陽発電機（１）。複数の車輪（２）が充電式電池容器（５）の底に取り付けられる。少なくとも１つの充電式電池（４）が充電式電池容器（５）の内部に入れられる。電力調節パネル（８）が充電式電池容器に接続される。少なくとも１つの光起電性パネル（１０）がピボット接続される。好ましい実施例において、充電式電池容器（５）はナイフスイッチ接続部を有する防水性電池容器である。回転バー（９）を有するマスト（６）は防水性電池容器（５）により支持される。光起電性パネル（１０）を支持する少なくとも１つのソーラパネル支持ブレースが回転バー（９）に取り付けられる。電力調節パネルは防水性であり、マスト（６）に取り付けられ、ドアを有する。ドアが開かれるときに、少なくとも１つの安全スイッチが切られ電気回路を遮断する。防水性電力調節パネル（８）は充電コントローラとインバータを有する。充電コントローラは少なくとも１つの充電式電池（４）と少なくとも１つの光起電性パネル（１０）に接続され、補助電力入力を受けることが出来る。【選択図】図１
2004525596.tif 000002
【特許請求の範囲】
【請求項１】
Ａ）充電式の電池容器と、
Ｂ）前記充電式容器の底に取り付けられた複数の車輪と、
Ｃ）前記充電式電池容器の内部に入れられた少なくとも１つの充電式電池と、
Ｄ）前記充電式電池容器に接続された電力調節パネルと、
Ｅ）少なくとも１つのピボット接続された光起電性パネルと、
を備える携帯型ＰＶモジュラー太陽発電機。
【請求項２】
前記携帯型ＰＶモジュラ−太陽発電機が少なくとも１つのＡＣメインパネルにエネルギーを供給し、前記ＡＣメインパネルが商用交流系統から発生されたエネルギーを受け、前記携帯型ＰＶモジュラー太陽発電機が更に前記商用交流系統の状態をモニターするコンピュータを備え、前記商用交流系統が起動されないときは前記コンピュータが前記商用交流系統を前記ＡＣメインパネルから遮断することが可能であり、前記商用交流系統が起動されるときは商用交流系統を前記ＡＣメインパネルに接続することが可能であることを特徴とする請求項１に記載の携帯型ＰＶモジュラー太陽発電機。
【請求項３】
プログラマブル回路選択パネルを備える請求項１に記載の携帯型ＰＶモジュラー太陽発電機。
【請求項４】
前記プログラマブル回路選択パネルが、
Ａ）コンピュータと、
Ｂ）前記コンピュータにより制御されるアクチュエータと、
Ｃ）前記アクチュエータにより制御される複数の回路作動スイッチと、
を備え、前記アクチュエータが１日の時間に基づいて前記複数の回路作動スイッチの開閉を制御するように前記コンピュータがプログラムされることを特徴とする請求項３に記載の携帯型ＰＶモジュラー太陽発電機。
【請求項５】
前記少なくとも１つの充電式電池が少なくとも２つの充電式電池であり、前記携帯型ＰＶモジュラー太陽発電機が更に前記少なくとも２つの充電式電池を接続する少なくとも１つの高速電池遮断接続装置を備えることを特徴とする請求項１に記載の携帯型ＰＶモジュラー太陽発電機。
【請求項６】
前記少なくとも１つの高速電池遮断接続装置が、
Ａ）カムクリップと、
Ｂ）前記カムクリップに接続されたカム張力調整ナットと、
Ｃ）前記カム張力調整ナットに接続されたカム張力調整ストラップと、
を備えることを特徴とする請求項５に記載の携帯型ＰＶモジュラー太陽発電機。
【請求項７】
前記携帯型ＰＶモジュラー太陽発電機を位置決めするリモートコントロールされた駆動装置を備える携帯型ＰＶモジュラー太陽発電機であって、前記リモートコントロールされた駆動装置が前記携帯型ＰＶモジュラー太陽発電機の底に接続されることを特徴とする請求項１に記載の携帯型ＰＶモジュラー太陽発電機。
【請求項８】
前記リモートコントロールされた装置をリモートコントロールするためのリモートコントロールユニットを備える携帯型ＰＶモジュラー太陽発電機あって、前記リモートコントロールユニットが、
Ａ）手動設定と、
Ｂ）リモートコントロール設定と、
Ｃ）自動設定と、
を備える請求項７に記載の携帯型ＰＶモジュラー太陽発電機。
【請求項９】
前記携帯型ＰＶモジュラー太陽発電機が自動位置決め能力を有することを特徴とする請求項１に記載の携帯型ＰＶモジュラー太陽発電機。
【請求項１０】
前記少なくとも１つの光起電性パネルが複数の光起電性パネルであり、前記自動位置決め能力が、
Ａ）複数の駆動輪と、
Ｂ）前記複数の駆動輪に接続された駆動モータと、
Ｃ）前記駆動モータと前記複数の光起電性パネルと電気的に連通するコンピュータと、
を備え、発生された太陽エネルギーレベルに対応する値が前記複数の光起電性パネルのそれぞれから前記コンピュータに送られ、前記コンピュータが前記複数の光起電性パネルのそれぞれの間のエネルギー勾配を計算し、前記コンピュータが前記携帯型ＰＶモジュラー太陽発電機を自動的に位置決めするために前記駆動輪を駆動する駆動モータに信号を送ることを特徴とする請求項９に記載の携帯型ＰＶモジュラー太陽発電機。
【請求項１１】
前記充電式電池容器に接続されたマストを備える携帯型ＰＶモジュラー太陽発電機であって、前記マストが回転バーを備え、前記少なくとも１つの光起電性パネルが前記回転バーを介してピボット接続されることを特徴とする請求項１０に記載の携帯型ＰＶモジュラー太陽発電機。
【請求項１２】
前記充電式電池容器の底に取り付けられた前記複数の車輪がピボット取り付けされることを特徴とする請求項１０に記載の携帯型ＰＶモジュラー太陽発電機。
【請求項１３】
前記充電式電池容器の内部に入れられた前記少なくとも１つの充電式電池が１６個の充電式電池であることを特徴とする請求項１０に記載の携帯型ＰＶモジュラー太陽発電機。
【請求項１４】
前記充電式電池容器の内部に入れられた前記少なくとも１つの充電式電池が少なくとも１つの鉛蓄電池であることを特徴とする請求項１０に記載の携帯型ＰＶモジュラー太陽発電機。
【請求項１５】
前記充電式電池容器の内部に入れられた前記少なくとも１つの充電式電池が少なくとも１つの燃料電池であることを特徴とする請求項１０に記載の携帯型ＰＶモジュラー太陽発電機。
【請求項１６】
前記充電式電池容器が防水性電池容器であることを特徴とする請求項１０に記載の携帯型ＰＶモジュラー太陽発電機。
【請求項１７】
前記防水性電池容器により支持されたマストを備える携帯型ＰＶモジュラー太陽発電機であって、前記マストが回転バーを備え、前記少なくとも１つの光起電性パネルが前記回転バーを介してピボット接続されることを特徴とする請求項１６に記載の携帯型ＰＶモジュラー太陽発電機。
【請求項１８】
前記充電式電池容器が更にナイフスイッチ接続部を備えることを特徴とする請求項１６に記載の携帯型ＰＶモジュラー太陽発電機。
【請求項１９】
前記電力調節パネルが少なくとも１つの電気コンポーネントを備えることを特徴とする請求項１０に記載の携帯型ＰＶモジュラー太陽発電機。
【請求項２０】
前記少なくとも１つの電気コンポーネントが、Ａ）前記少なくとも１つの光起電性パネルと前記少なくとも１つの充電式電池に電気的に接続された充電コントローラと、Ｂ）前記充電コントローラに電気的に接続されたインバータとを備えることを特徴とする請求項１９に記載の携帯型ＰＶモジュラー太陽発電機。
【請求項２１】
前記電力調節パネルが防水性であることを特徴とする請求項１０に記載の携帯型ＰＶモジュラー太陽発電機。
【請求項２２】
前記電力調節パネルが、
Ａ）ドアと、
Ｂ）前記ドアが開かれるときに電気回路を遮断して切る少なくとも１つの安全スイッチと、
を備えることを特徴とする請求項１０に記載の携帯型ＰＶモジュラー太陽発電機。
【請求項２３】
前記少なくとも１つの光起電性パネルが４つの光起電性パネルであることを特徴とする請求項１０に記載の携帯型ＰＶモジュラー太陽発電機。
【請求項２４】
少なくとも１つのソーラパネル支持ブレースを備える携帯型ＰＶモジュラー太陽発電機であって、前記少なくとも１つの光起電性パネルが前記少なくとも１つのソーラパネル支持ブレースにより支持されることを特徴とする請求項１０に記載の携帯型ＰＶモジュラー太陽発電機。
【請求項２５】
補助電力入力装置を備えることを特徴とする請求項１０に記載の携帯型ＰＶモジュラー太陽発電機。
【請求項２６】
前記ソーラパネル支持ブレースが少なくとも１つのバネ付き延長バーを備えることを特徴とする請求項２４に記載の携帯型ＰＶモジュラー太陽発電機。
【請求項２７】
Ａ）マストキャップと、
Ｂ）マストキャップ蓋であって、
１）前記マストキャップ蓋を前記マストキャップにロックする少なくとも１つの電磁ロックを備えるマストキャップ蓋とを備える、請求項１に記載の携帯型ＰＶモジュラー太陽発電機。
【請求項２８】
前記マストキャップ蓋に取り付けられた少なくとも１つの換気扇を備える請求項２７に記載の携帯型ＰＶモジュラー太陽発電機。
【発明の詳細な説明】
【技術分野】
【０００１】
本発明は、太陽発電機、特に携帯型太陽発電機に関する。
【背景技術】
【０００２】
近年、発電コストが劇的に増加して来た。カリフォルニア州において、多くの顧客に対する月々の電気料金は過去２倍以上になった。電力不足危機の間、地域社会の各地理的区域の受電を代わる代わる遮断する状態である輪番停電がますます当たり前になって来た。我々の惑星の天然資源が枯渇するにつれ、また人口が増加するにつれ、発電の代替方法を効率的に利用することの重要性が増加して来た。
【０００３】
太陽エネルギー
光起電性パネル（ソーラパネルとも呼ばれる）は周知であり、太陽光から電気を発生するのに用いられる。太陽光は「ただ」であり、従って光起電性パネルにより発生される電気のコストは極端に低い。しかしながら、太陽エネルギーシステムの住居への設置に関連する費用のために太陽エネルギーは住居用発電には広くは用いられない。典型的には、光起電性パネルは現在、家の屋根に取り付けられ、家庭の電気システムまで直接配線される。幾つかの欠点には、家の所有者の地所上で屋根が、最良、最大の直射日光を受けるのに最適な場所ではないかも知れないということが含まれる。また、一旦システムが設置されると、それは恒久的である。言い換えれば、家の所有者が新しい家に引っ越す場合、彼は太陽発電システムを一緒に持って行けない。また屋根装着太陽発電機を設置するのは極端に高価である。現在の見積りでは２万ドル乃至３万ドルの範囲である。
【０００４】
先行技術の携帯型システム
アザムに発行された米国特許第６，２０１，１８１号は携帯型ソーラカートを開示している。しかしながら、アザムにより開示されたカートは典型的な住居の要求を満たすに十分なエネルギーを効率的に供給するには不適当である。
【発明の開示】
【発明が解決しようとする課題】
【０００５】
必要とされるものはよりよい携帯型太陽発電機である。
【課題を解決するための手段】
【０００６】
本発明は携帯型ＰＶモジュラー太陽発電機を提供する。充電式電池容器の底には複数の車輪が取り付けられる。少なくとも１つの充電式電池が充電式電池容器の内部に入れられる。電力調節パネルが充電式電池容器に接続される。少なくとも１つの光起電性パネルがピボット回転可能に取り付けられる。好ましい実施例において、充電式電池容器はナイフスイッチ接続部を有する防水性電池容器である。回転バーを有するマストが防水性電池容器により支持される。光起電性パネルを支持する少なくとも１つのソーラパネル支持ブレースが回転バーに取り付けられる。電力調節パネルは防水性であり、マストに取り付けられドアを有する。ドアが開かれると、少なくとも１つの安全スイッチが切られ、電気回路を遮断する。防水性電力調節パネルは充電コントローラとインバータを有する。充電コントローラは少なくとも１つの充電式電池と少なくとも１つの光起電性パネルに電気的に接続され、補助的な電力入力を受けることが出来る。
【発明を実施するための最良の形態】
【０００７】
【実施例１】
【０００８】
図１は本発明の好ましい実施例の斜視図を示す。５つの車輪２が光起電性モジュラープラットフォーム１の車輪支持３に回転可能に取り付けられる。車輪支持３は電池容器キャリッジ５の底にピボット回転可能に取り付けられる。電池容器４が電池容器キャリッジ５の内部に挿入される。マスト６は電池容器４の中心を通って上に伸びている。電力調節パネル８がマスト６の側面に固定される。回転バー９がマスト６の上部に回転可能に接続されており、ソーラパネル１０を種々の角度で回転可能に位置決め出来る。好ましい実施例において、モジュラープラットフォーム１（それぞれが重量６０ポンドの１６個の鉛蓄電池を有し、またそれぞれが重量２５ポンドの４枚のソーラパネル１０を有する）の重量はおよそ１２００ポンドより少ない。
【０００９】
電池容器
電池容器４の内部の上面図を図２Ａに示す。電池容器４は電池容器４に固定された４つの固定壁２０を含む。４つの可動壁２２がトラック２４に摺動的に取り付けられ、それぞれをトラック２４に沿った位置にロックすることが出来る。４つの鉛蓄電池は電池容器４の隅に互いに隣接して配置される。可動壁２２はトラック２２に沿って摺動され、次いで電池２６が互いに高さを揃えて保持されるように所定位置にロックされる。電池容器４はまたマスト６に対する支持を提供するマスト支持切り欠き部３５を有する（図１）。
【００１０】
図２Ｂは電池容器蓋７の側面図を示し、図２Ｃはその上面図を示す。蓋結合用延長部２８がスロット３０に挿入されるときに蓋７を電池容器４に被さって適切に合わせるように蓋結合用延長部２８が配置される。ハンドル３４で持ち上げることにより、蓋７のヒンジ部分３１と３２を開くことが出来る。部分３１と３２が持ち上げられたときにナイフスイッチ接続部３３が遮断される（図８参照）。電池２６と繋がっている配線（図示せず）は電池配線路３７を通って走っている。好ましい実施例においては、蓋７が電池容器４に嵌められると電池容器４は防水性となる。
【００１１】
ＰＶパネルの展開
図３は非展開状態にあるＰＶモジュラープラットフォーム１の斜視図を示す。モジュラープラットフォーム１を特定の場所の種々の位置に展開するときはそれを図１に示す位置に置くのが好ましい。上記のように、好ましい実施例においては、モジュラープラットフォーム１の重量は１２００ポンドより少ない。この重量においては平均的力を有する成人男性１人が両手を使って電池容器４に寄りかかって押すことにより電池が全て装填されたプラットフォームを平坦斜面上で容易に移動出来る。もしモジュラープラットフォーム１を上り坂のある位置まで、あるいは荒れた斜面上を移動する必要がある場合、電池とＰＶパネル１０を一時的に取り外してモジュラープラットフォーム１を上り坂のある位置まで、あるいは荒れた斜面上で容易に押すことが出来る。電池２６又はＰＶパネル１０がないモジュラープラットフォーム１の重量はおよそ１００ポンドである。
【００１２】
図４はマスト６の欠切図を示す。ＤＣモータ５０はギヤ５２に係合され、このギヤがギヤ５４に係合される。ギヤ５２と５４の詳細図を図６に示す。スイッチ５６（図３）を「オン」に切替えることによりＤＣモータ５０が始動される。これによりギヤ５２がギヤ５４を回転し、このギヤが起立用ネジ５８を回転する。起立用アーム支持６０が起立用ネジ５８にねじ込まれ、それにより起立用ネジ５８が回されるときに起立用アーム支持６０が上に上がる。起立用アーム６２はボールジョイント６６を介してソーラパネル支持ブレース６４に接続される。起立用アーム６２と、ボールジョイント６６のボール６８及びソケット７０を図５に詳細に示す。ソーラパネル支持ブレース６４に取り付けられたソケット７０も図９に示す。
【００１３】
ソーラパネル支持ブレース
図９はソーラパネル支持ブレース６４の下面図を、図１０はその上面図を示す。ソーラパネル１０はバネ付きクランプ６５によりソーラパネル支持部ブレース６４の所定場所に保持される。ソーラパネル支持ブレース６４（図４）は接続点７０のヒンジにおいて支持バー７２に接続される。支持バー７２は回転バー９に固定接続される。起立用ネジ５８は起立用アーム支持６０を上に上げると、起立用アーム６２はソーラパネル支持ブレース６４を上に押し、それらを持ち上げて接続点７０の回りでピボット回転させる。
【００１４】
起立用アーム支持６０が完全に持ち上げられたときに、ソーラパネル支持ブレース６４は図７に示す起立位置にある。ソーラパネル支持ブレース６４を図７の矢印で示す位置において手動で上に押し上げることにより、ソーラパネル１０は回転バー９の軸の回りで図１に示す展開位置まで容易に回転する。
【００１５】
電気コンポーネント
本発明の好ましい電気コンポーネントを図８に示す。好ましくは接続箱１００、充電コントローラ１０２、ＤＣ電圧計１０４、インバータ１０６、及びＡＣマルチメータ１０８が全て電力調節パネル８内に入れられる。好ましい実施例において、電力調節パネル８（図１にも示す）は防水性である。
【００１６】
ＰＶパネル１０と電池２６は接続箱１００に接続される。好ましい実施例において、各ＰＶパネル１０は直射日光に当てられた場合、およそ１２０ワットの電気を発電出来る。好ましい実施例において、接続箱１００はまた補助電力ユニットから入力されたＤＣ電気を受けることが出来る。ＰＶパネル１０はスイッチ１１４を通じて接続箱１００に接続され、電池２６はスイッチ１１０を通じて接続箱１００に接続され、補助電力ユニットはスイッチ１１２を通じて接続箱１００に接続される。安全装置として、好ましい電力調節パネル８は、電力調節パネル８のドアが開かれるときは常にスイッチ１１４、１１２及び１１０を自動的に切るように構成され、それにより潜在的事故を防止する。
【００１７】
太陽光がＰＶパネル１０に当たると、電気が発生し、ＰＶパネル１０から接続箱１００に流れる。充電コントローラ１０２は電池２６の状態をモニターしてそれらが過剰充電されないように、あるいは過剰に流出しないようにする。電池２６が更なる充電を必要とする場合、電気が接続箱１００から充電用電池２６に送られる。電流は通常は閉位置にあるナイフスイッチ接続部３３（図２Ｂも参照）を通過する。
【００１８】
ＤＣ電気はＰＶパネル１０又は電池２６から、好ましくはＤＣ電圧計１０４によりそのレベルがモニターされる充電コントローラ１０２を通って流れる。ＤＣ電流はスイッチ１１６を閉じることによりＤＣ負荷に流される。次に電気はインバータ１０６に流れ、そこで電流はＡＣに変換される。好ましくはマルチメータ１０８がＡＣ電流のレベルをモニターする。ＡＣ電流は次にスイッチ１１８（通常は閉じられる）を通ってＡＣサブパネル１２０に流れる。
【００１９】
ＡＣサブパネル１２０は電力調節パネル８から来る電気がＡＣ負荷内の特定の領域に流れるように構成される。例えば、ＡＣ負荷が住居の場合、住居の所有者は、ＰＶモジュラープラットフォーム１により発生される電気を用いて彼の台所に電力供給したいと判断してもよい。その時、所有者は台所を代表するＡＣサブパネル１２０内のブレーカを入れることが出来る。そうして電気がＡＣサブパネル１２０から安全スイッチ１２１、ＡＣサブパネル１２２を通って流れ、そこで電気が台所に送られる。次に、商用交流系統を通って供給される電気の購入に費やされる金を節約するために、所有者は商用交流系統から台所に向かうＡＣメインパネル１２２のブレーカを切る。この瞬間に台所は、商用交流系統からではなく、ＰＶモジュラープラットフォーム１からその電気必要量の全てを得る。
【００２０】
第一の好ましい実施例において、ＰＶパネル１０は並列に配線される（図８参照）。第一の好ましい実施例において、ＰＶパネル１０は、およそ１２０ワットの電力を供給出来る１２ボルトソーラパネルであり、従って並列に配線されたら、それらは１２ボルトＤＣで合計４８０ワットを供給する。第一の好ましい実施例において、鉛蓄電池２６は低コスト６ボルト鉛蓄電池である。図８に示すように、これらは２個セットが直列に配線されて１２ボルトＤＣ出力を供給する。２個のセットが次に並列に配線される。これらの個々の電池セットに蓄積される典型的なエネルギーは２個セット当たり３５０アンペア時である。従って８セットでは蓄電量はおよそ２８００アンペア時になる。
【実施例２】
【００２１】
第一の好ましい実施例において、ＰＶモジュラープラットフォームは単一の発電ユニットとして示した。第二の実施例においては２つの補助ＰＶモジュラープラットフォームがメインＰＶモジュラープラットフォーム１に追加される。補助ＰＶモジュラープラットフォームは、補助ＰＶモジュラープラットフォームが好ましくはインバータを含まないことを除き、上記のＰＶモジュラープラットフォーム１に設計が類似している。補助ユニットからのＤＣ電流はスイッチ１１２（図８）を介してメインＰＶモジュラープラットフォーム１に直接供給されるのでインバータは不要である。
【００２２】
２つの補助ＰＶモジュラープラットフォームをＰＶモジュラープラットフォーム１に接続することにより、システム全体はおよそ１．２キロワットを供給出来、これは家の電力供給には十分である。２つの補助ＰＶモジュラープラットフォームとメインＰＶモジュラープラットフォームに対する購入価格の合計はおよそ１１０００ドルと見積もられる。住居電気使用者に対する現在の電気料金が３００ドル／月であるとすると、第二の実施例の購入者が彼のコストを回収するには３年と少しかかる。
【実施例３】
【００２３】
第三の好ましい実施例を図１１に示す。第三の好ましい実施例は、ＡＣサブパネル１２０がプログラマブル回路選択パネル２００で置き換えられることを除き、図８に示す実施例に類似している。
【００２４】
プログラマブルロジックコントローラ（ＰＬＣ）
ＰＬＣ２０３は商用交流系統をモニターするようにプログラムされる。マルチメータ２０１は商用交流系統の状態をＰＬＣ２０３に報告する。商用交流系統が起動されない（即ち商用交流系統から電流が検出できない）場合、ＰＬＣ２０３はスイッチ２０２を切る。次にモジュラープラットフォーム１（図１）は商用交流系統から遮断され、それにより負荷に対する独立の電力供給システムとして動作する。ＰＬＣ２０３は商用交流系統をモニターし続ける。ＰＬＣ２０３が、商用交流系統がラインに戻ったことを決定したら、ＰＬＣ２０３はスイッチ２０２を入れ、それによりＡＣモニターパネル１２２がモジュラープラットフォーム１と商用交流系統の両方からの入力を再度受ける。
【００２５】
プログラマブル回路選択パネル
プログラマブル回路選択パネル２００は、ＰＬＣ２０３、アクチュエータ２０４、及び回路作動スイッチ２０５を含む。ＰＬＣ２０３はＰＬＣ２０３への入力として使用者により入力されるプログラマブル時間選択可変制御パラメータを含む。時間選択制御パラメータはＰＬＣ２０３が１日の時間に基づいて回路作動スイッチ２０５を自動的に選択しまた選択出来るようにする。これが次にプログラマブル回路選択パネル２００が最大エネルギー効率に対してプログラムされるようにする。
【００２６】
ＰＬＣ２０３から受けた入力に基づいて、アクチュエータ２０４は回路作動スイッチ２０５を開閉する。例えば、図１１に示すように、回路作動スイッチ２０５は台所、主寝室、副寝室、書斎、居間のための個々のスイッチを含む。表１はＰＬＣ２０３が１日の時間に基づいて回路作動スイッチ２０５を開閉するための典型的なプログラムされた好ましい方式を示す。
【００２７】
【表１】
2004525596.tif 000003
【実施例４】
【００２８】
本発明の第四の好ましい実施例を図１２〜１４に示す。第四の好ましい実施例において、電池ケーブル２０６と２０７が高速接続遮断装置２０８の利用により互いに接続される。
【００２９】
ケーブル２０６の端部には雌接続プロング２０９が取り付けられる。ケーブル２０７には雄接続プロング２１０が取り付けられる。図１２に示すように雄プロング２１０は雌プロング２０９の間に部分的に挿入される。カムクリップ２１１は図１２に示される場所にある。カム張力調整ナット２１２（バネ２１３を含む）はカムクリップ２１１にピボット接続される。バネ２１３が緩められ、カム張力調整ナット２１２をカム張力調整ストラップ２１４に接続する。
【００３０】
図１３において、雄プロング２１０はさらに雌プロング２０９に挿入されている。カムクリップ２１１は上に回転されている。バネ２１３が今や緊張下にあり、カムクリップ２１１とカム張力調整ストラップ２１４が雌プロング２０９に圧縮力を加えられるようにする。雄プロング２１０はこうして雌プロング２０９の間にしっかりと押し込まれる。雌プロング２０９から雄プロング２１０を取り外すために、使用者はカムクリップを図１２に示す位置に来るように下に回転する。
【００３１】
図１４は高速遮断接続装置２０８を用いて接続された鉛蓄電池２６を示す。
【実施例５】
【００３２】
第五の好ましい実施例を図１５〜１７、及び図１１に示す。第五の好ましい実施例において、駆動ハウジング部３０２が電池容器キャリッジ５の底に固定される。図１６Ａは駆動ハウジング部３０２の上面透視図を示す。駆動ハウジング部３０２は駆動モータ３０３を収容する。駆動モータ３０３は車輪３０４と車輪３０５を駆動し、それらはそれぞれトレッド３０６と３０７により接続される。
【００３３】
図１１に示すように、ＰＶパネル１０Ａ〜１０Ｄはそれぞれマルチメータ５０１〜５０４によりモニターされる。ＰＬＣ３０８（図１１）はマルチメータ５０１〜５０４及びアクチュエータ５０５に電気的に接触する。アクチュエータ５０５は駆動モータ３０３を制御する。好ましい実施例において、ＰＬＣは電力調節パネル８（図１５）の内部に入れられる。
【００３４】
第五の好ましい実施例において、モジュラープラットフォーム３００（図１５）の再位置決めは３つの好ましいオプションを用いてリモートコントロールユニット３０１（図１７）で制御される。リモートコントロールユニット３０１はＲＦトランシーバを用いて駆動モータ３０３と遠隔通信する。
【００３５】
手動再位置決め
モジュラープラットフォーム３００は手で手動再位置決め出来る。モジュラープラットフォーム３００を手動再位置決めするために、オペレータは表示器３１０（図１７）が位置「Ｍ」を指すように動かす。これにより自由駆動状態になるように車輪３０４と３０５が解放される。そうしてモジュラープラットフォーム３００は手により物理的に移動できる。
【００３６】
例えば、図１５は陰影領域３１４で部分的に覆われたＰＶパネル１０Ａと１０Ｂを示す。モジュラープラットフォーム３００が完全に太陽に当たるように手でそれを物理的に位置決めするために、オペレータは矢印で示す方向にそれを押す。
【００３７】
リモートコントロール
リモートコントロール３０１はモジュラープラットフォーム３００の位置決めを直接制御出来る。モジュラープラットフォーム３００の位置決めを遠隔制御するためにオペレータは表示器３１０（図１７）が位置「Ｒ」を指すように動かす。
【００３８】
モジュラープラットフォーム３００を反時計方向にピボット回転させるために、オペレータはボタン３１１を押す。これにより車輪３０４が前に回転し、車輪３０５が後ろに回転する。図１６Ｂは反時計方向にピボット回転するハウジング部３０２を示す。
【００３９】
モジュラープラットフォーム３００を時計方向にピボット回転させるために、オペレータはボタン３１２を押す。これにより車輪３０４が後ろに回転し、車輪３０５が前に回転する。図１６Ｃは時計方向にピボット回転するハウジング部３０２を示す。
【００４０】
モジュラープラットフォーム３００を前に移動させるために、オペレータはトグルスイッチ３１３を下に動かす。これにより車輪３０４と車輪３０５が前に移動する。図１６Ｄは前に移動するハウジング部３０２を示す。
【００４１】
モジュラープラットフォーム３００を後ろに移動させるために、オペレータはトグルスイッチ３１３を図１７に示す位置まで上に動かす。これにより車輪３０４と車輪３０５が後ろに移動する。図１６Ｅは後ろに移動するハウジング部３０２を示す。
【００４２】
例えば、図１５は陰影領域３１４で部分的に覆われたＰＶパネル１０Ａと１０Ｂを示す。リモートコントロールユニット３０１を用いてモジュラープラットフォーム３００を位置決めするために、オペレータはトグルスイッチ３１３を下に動かす。これにより車輪３０４と車輪３０５は前に移動してモジュラープラットフォーム３００は矢印で示す方向に移動する。
【００４３】
自動位置決め
モジュラープラットフォーム３００はまたオペレータの如何なる入力もなく自動的に位置決め出来る。モジュラープラットフォーム３００をオートモードにするために、オペレータは表示器３１０（図１７）が位置「Ａ」を示すように動かす。モジュラープラットフォーム３００がオートモードになった後、ＰＶパネル１０Ａ〜１０Ｄにより発生された太陽エネルギーはマルチメータ５０１〜５０４により測定される。次に各パネルにより発生された太陽エネルギー量に対応する値はＰＬＣ３０８に送られる。次にＰＬＣ３０８はユニットが太陽光を受ける最適位置に配置されるように各パネル間のエネルギー勾配を計算しかつ駆動モータ３０３を作動してユニットを位置決めし直すようにアクチュエータ５０５を制御する。
【００４４】
例えば、図１５に示すように、ＰＶパネル１０Ｃと１０Ｄはパネル１０Ａと１０Ｂより強い太陽光を受けている。ＰＬＣ３０８はパネル１０Ａ〜１０Ｄ間のエネルギー勾配を計算し、全てのパネルが直射日光に入るまでモジュラープラットフォーム３００が矢印（図１５）で示す方向に移動するようにモジュラープラットフォーム３００を位置決めするために駆動モータ３０３（図１６Ａ）に信号を送る。
【実施例６】
【００４５】
第六の好ましい実施例を図１８Ａと１８Ｂに示す。図１８Ｂはソーラパネル支持ブレース３６４の下面図であり、図１８Ａはその上面図である。ソーラパネル１０はバネ付き延長バー３６５によりソーラパネル支持ブレース３６４上の所定場所に保持される。ソーラパネル支持ブレース３６４はヒンジ３６６を介して支持バー７２（図４）に接続される。ボールジョイント３６７を図１８Ｂに示す。
【実施例７】
【００４６】
第七の好ましい実施例を図１９〜２１に示す。図１９はマストキャップ４５０の上部にあるマストキャップ蓋４５１を示す。図２０はマストキャップ蓋４５１とマストキャップ４５０の分解図を示す。図２１はモジュラープラットフォーム４００に取り付けられたマストキャップ蓋４５１とマストキャップ４５０を示す。
【００４７】
マスト６はモジュラープラットフォーム４００に対して配線するための配線路として役立つ。その結果、モジュラープラットフォーム４００の動作中にマストキャップ蓋４５１が取り外されたら重大な損傷を生じることになる。従って第七の好ましい実施例において、マストキャップ蓋４５１は電磁ロックとして作用するソレノイド４５２で構成された。ＰＶパネルにより電流が発生したら、電流はソレノイド４５２に送られる。これはソレノイドのシリンダを作動し、それらをマストキャップ４５０に注入し、マストキャップ４５０とマストキャップ蓋４５１の間のロック状態に影響を及ぼす。
【００４８】
また、第七の実施例において、換気扇４５３がマストキャップ蓋４５１の下側に取り付けられる。換気扇４５３は内部回路が起動されるときにマスト全体に対して換気を行なう。
【００４９】
本発明のコンパクトサイズ、フレキシビリティー、モビリティー及びモジュラリティーは装置の設置と保守の容易さを提供する。本発明は地域社会に対する顕著な恩恵である。それは停電又は節電を排除出来る独立の分散した電源を使用者に提供する。
【００５０】
上記の好ましい実施例を具体的に述べたけれども、発明の精神から逸脱することなく上記の具体的な実施例に対して多くの変更を成し得ることは当業者には言うまでもない。例えば、第二の好ましい実施例はメインＰＶモジュラープラットフォームを２つの補助ＰＶモジュラープラットフォームに接続することを議論しているけれども、それを補助ＰＶモジュラープラットフォーム１つだけに接続すること、あるいは２つ以上のモジュラープラットフォームに接続することも可能である。また風力又は燃料燃焼発電機等の、メインＰＶモジュラープラットフォームに接続された発電可能な他の装置を有することも可能である。また図８は並列に配線されたＰＶパネル１０を示したけれども、それらは直列に配線することも出来る。また電池２６はシステムの用途によっては直列又は並列に配線することも出来る。また、上記の実施例は本発明により充電される鉛蓄電池２６を示したけれども、本発明は燃料電池を充電するのに用いることも出来る。上記の実施例はプログラマブルロジックコントローラの利用を議論しているが、詳細に述べたＰＬＣの代わりに種々のタイプのプログラムされたコンピュータを用いることも可能である。従って、添付された特許請求の範囲とそれらの均等物が発明の範囲を決定すべきである。
【図面の簡単な説明】
【００５１】
【図１】本発明の好ましい実施例である。
【図２Ａ】好ましい電池容器である。
【図２Ｂ】好ましい電池容器蓋である。
【図２Ｃ】好ましい電池容器蓋である。
【図３】非展開位置にある好ましい実施例である。
【図４】図３に示すマストの詳細図である。
【図５】ボールジョイントの詳細である。
【図６】図４に示すギアの詳細である。
【図７】起立した位置での好ましい実施例である。
【図８】好ましい実施例の電気コンポーネントの単純化された図である。
【図９】好ましいソーラーパネル支持ブレースを示す。
【図１０】好ましいソーラーパネル支持ブレースを示す。
【図１１】発明のさらなる好ましい実施例である。
【図１２】発明のさらなる好ましい実施例である。
【図１３】発明のさらなる好ましい実施例である。
【図１４】発明のさらなる好ましい実施例である。
【図１５】発明のさらなる好ましい実施例である。
【図１６】発明のさらなる好ましい実施例である。
【図１７】発明のさらなる好ましい実施例である。
【図１８Ａ】発明のさらなる好ましい実施例である。
【図１８Ｂ】発明のさらなる好ましい実施例である。
【図１９】発明のさらなる好ましい実施例である。
【図２０】発明のさらなる好ましい実施例である。
【図２１】発明のさらなる好ましい実施例である。
【符号の説明】
【００５２】
１  ＰＶモジュラープラットフォーム
２  車輪
４  電池容器
５  電池容器キャリッジ
６  マスト
８  電力調節パネル
９  回転バー
１０  ＰＶパネル
２６  鉛蓄電池
３３  ナイフスイッチ接続部
６４  ソーラパネル支持ブレース
１０２  充電コントローラ
１０６  インバータ
１２１  安全スイッチ
１２２  ＡＣメインパネル
２００  プログラマブル回路選択パネル
２０４  アクチュエータ
２０５  回路作動スイッチ
２０８  高速接続遮断装置
２１１  カムクリップ
２１２  カム張力調整ナット
２１４  カム張力調整ストラップ
３０１  リモートコントロールユニット
３０３  駆動モータ
３６５  バネ付き延長バー
４５０  マストキャップ
４５１  マストキャップ蓋
４５２  ソレノイド
５０５  アクチュエータ
【図１】
2004525596.tif 000004
【図２Ａ】
2004525596.tif 000005
【図２Ｂ】
2004525596.tif 000006
【図２Ｃ】
2004525596.tif 000007
【図３】
2004525596.tif 000008
【図４】
2004525596.tif 000009
【図５】
2004525596.tif 000010
【図６】
2004525596.tif 000011
【図７】
2004525596.tif 000012
【図８】
2004525596.tif 000013
【図９】
2004525596.tif 000014
【図１０】
2004525596.tif 000015
【図１１】
2004525596.tif 000016
【図１２】
2004525596.tif 000017
【図１３】
2004525596.tif 000018
【図１４】
2004525596.tif 000019
【図１５】
2004525596.tif 000020
【図１６】
2004525596.tif 000021
【図１７】
2004525596.tif 000022
【図１８Ａ】
2004525596.tif 000023
【図１８Ｂ】
2004525596.tif 000024
【図１９】
2004525596.tif 000025
【図２０】
2004525596.tif 000026
【図２１】
2004525596.tif 000027
【国際公開パンフレット】
2004525596.tif 000028
2004525596.tif 000029
2004525596.tif 000030
2004525596.tif 000031
2004525596.tif 000032
2004525596.tif 000033
2004525596.tif 000034
2004525596.tif 000035
2004525596.tif 000036
2004525596.tif 000037
2004525596.tif 000038
2004525596.tif 000039
2004525596.tif 000040
2004525596.tif 000041
2004525596.tif 000042
2004525596.tif 000043
2004525596.tif 000044
2004525596.tif 000045
2004525596.tif 000046
2004525596.tif 000047
2004525596.tif 000048
2004525596.tif 000049
2004525596.tif 000050
2004525596.tif 000051
2004525596.tif 000052
2004525596.tif 000053
2004525596.tif 000054
2004525596.tif 000055
2004525596.tif 000056
2004525596.tif 000057
2004525596.tif 000058
【国際調査報告】
2004525596.tif 000059